(57)【要約】【課題】可視光通信装置の構成機器の異常を、装置の停止を伴うことなく自動的に検出することができる可視光通信監視装置を提供することにある。【解決手段】可視光通信装置１０に適用する可視光通信監視装置２０において、可視光通信装置１０に接続して、可視光通信装置１０から取り出したデジタル情報Ａ〜Ｄに基づいて、可視光通信装置１０の構成機器の異常発生を自動的に検出する監視制御装置２１を有する構成である。【選択図】図１
2010213205.tif 000002
【特許請求の範囲】
【請求項１】
可視光を発光する可視光発信手段、及び送信対象のデジタル情報に基づいて前記可視光発信手段を制御する発信制御手段を含む可視光通信装置と接続する手段と、
前記可視光発信手段により発信された可視光からデジタル情報を復調する復調手段と、
前記発信制御手段から前記送信対象のデジタル情報を入力する入力手段と、
前記復調手段により復調されたデジタル情報及び前記送信対象のデジタル情報に基づいて、前記可視光通信装置を構成する機器の異常発生を監視する監視手段と
を具備したことを特徴とする可視光通信監視装置。
【請求項２】
前記可視光発信手段から発信される可視光を受光する受光素子と、
前記受光素子で受光された可視光から電気信号に変換する手段とを有し、
前記復調手段は、前記電気信号からデジタル情報を復調する構成であることを特徴とする請求項１に記載の可視光通信監視装置。
【請求項３】
前記発信制御手段は、前記送信対象のデジタル情報を出力する情報出力手段及び当該デジタル情報を変調した信号により前記可視光発信手段を制御する発光制御手段を含み、
前記監視手段は、
前記情報出力手段から出力されるデジタル情報と前記発光制御手段から取り出したデジタル情報とを比較し、当該比較結果が不一致の場合に前記発信制御手段の機器に異常が発生していると判定する構成であることを特徴とする請求項１又は請求項２のいずれか１項に記載の可視光通信監視装置。
【請求項４】
前記監視手段は、前記比較結果が一致の場合において
前記発光制御手段から取り出したデジタル情報と前記復調手段により復調されたデジタル情報とを比較し、当該比較結果が一致の場合には前記可視光通信装置の全てが正常であると判定し、
前記比較結果が不一致の場合には前記発光制御手段に異常が発生していると判定する構成であることを特徴とする請求項３に記載の可視光通信監視装置。
【請求項５】
前記発信制御手段は、前記送信対象のデジタル情報を出力する情報出力手段及び当該デジタル情報を変調した信号により前記可視光発信手段を制御する発光制御手段を含み、
前記監視手段は、
前記情報出力手段から出力されるデジタル情報と前記発光制御手段から取り出したデジタル情報とを比較し、当該比較結果が一致の場合には前記発信制御手段が正常であると判定し、
前記発光制御手段から取り出したデジタル情報と前記復調手段により復調されたデジタル情報とを比較し、当該比較結果が不一致の場合には前記可視光発信手段または前記受光素子の一方に異常が発生していると判定することを特徴とする請求項２に記載の可視光通信監視装置。
【請求項６】
前記監視手段は、
前記可視光発信手段から取り出したデジタル情報と基準値情報とを比較し、当該比較結果に基づいて、前記可視光発信手段の異常発生を判定する手段を含むことを特徴とする請求項１に記載の可視光通信監視装置。
【請求項７】
前記監視手段は、
前記可視光発信手段から取り出したデジタル情報と基準値情報とを比較し、当該比較結果に基づいて、前記可視光発信手段の異常発生を判定する手段を含み、
前記可視光発信手段または前記受光素子の一方に異常が発生していると判定したときに、前記可視光発信手段に異常が発生している場合には前記受光素子は正常であると判定するように構成されていることを特徴とする請求項５に記載の可視光通信監視装置。
【請求項８】
請求項１に記載の前記発信制御手段により制御された前記可視光発信手段から発光された可視光を受光して前記可視光からデジタル情報を復調する受信手段と、前記受信手段により復調されたデジタル情報を無線通信により伝送する通信手段とを含む可視光受信装置と、
前記通信手段から伝送されたデジタル情報と前記発信制御手段から取り出した前記デジタル情報とを比較し、当該比較結果に基づいて前記可視光発信手段及び前記発信制御手段を構成する各機器の異常発生を判定する監視手段と
を具備したことを特徴とする可視光通信監視装置。
【請求項９】
請求項１に記載の前記発信制御手段により制御された前記可視光発信手段から発光された可視光を受光して画像情報を生成するカメラと、
前記カメラにより生成された画像情報を無線通信により伝送する通信手段とを含む可視光受信装置と、
前記通信手段から伝送された画像情報と前記発信制御手段から取り出した前記デジタル情報とを比較し、当該比較結果に基づいて前記可視光発信手段及び前記発信制御手段を構成する各機器の異常発生を判定する監視手段と
を具備したことを特徴とする可視光通信監視装置。
【請求項１０】
前記監視手段は、
前記異常発生又は正常の判定結果を表示出力する表示手段を含むことを特徴とする請求項１から請求項７のいずれか１項に記載の可視光通信監視装置。
【請求項１１】
前記監視手段は、
前記異常発生又は正常の判定結果を遠隔のシステムに伝送する通信手段を含むことを特徴とする請求項１から請求項７のいずれか１項に記載の可視光通信監視装置。
【請求項１２】
可視光を発光する可視光発信手段と、
送信対象のデジタル情報に基づいて前記可視光発信手段を制御して、前記デジタル情報で変調された可視光を発信する発信制御手段とを含む可視光通信装置において、
前記可視光発信手段により発信された可視光からデジタル情報を復調する復調手段と、
前記発信制御手段から前記送信対象のデジタル情報を入力する入力手段と、
前記復調手段により復調されたデジタル情報及び前記送信対象のデジタル情報に基づいて、前記可視光通信装置を構成する機器の異常発生を監視する監視手段とを有する可視光通信監視装置が組み込まれた構成であることを特徴とする可視光通信装置。
【請求項１３】
可視光を発光する可視光発信手段、及び送信対象のデジタル情報に基づいて前記可視光発信手段を制御する発信制御手段を含む可視光通信装置に適用する可視光通信監視方法であって、
前記可視光発信手段により発信された可視光からデジタル情報を復調する処理と、
前記発信制御手段から前記送信対象のデジタル情報を入力する処理と、
前記復調手段により復調されたデジタル情報及び前記送信対象のデジタル情報に基づいて、前記可視光通信装置を構成する機器の異常発生を監視する処理と
を実行することを特徴とする可視光通信監視方法。
【発明の詳細な説明】
【技術分野】
【０００１】
本発明は、可視光を利用して通信を行なう可視光通信装置に適用し、可視光通信装置の異常発生を監視する監視技術に関する。
【背景技術】
【０００２】
近年、ＬＥＤ（light emitting diode:発光ダイオード）を利用した照明技術と共に、ＬＥＤによる可視光を通信として使用する可視光通信技術の開発が推進されている。具体的には、道路照明灯を利用した可視光通信システムが提案されている（例えば、特許文献１を参照）。また、可視光を利用した位置情報供給装置や測位装置が提案されている（例えば、特許文献２を参照）。
【０００３】
ところで、可視光通信装置に利用する道路照明灯などは、夜間に長時間連続稼動するため故障や点灯不良などが起こりやすい。このため、道路照明灯の点灯不良などを無線技術を利用して監視するシステムが提案されている（例えば、特許文献３を参照）。
【先行技術文献】
【特許文献】
【０００４】
【特許文献１】特開２００７−１８７７３号公報
【特許文献２】特開２００８−１９０８７４号公報
【特許文献３】特開２００１−５２８８２号公報
【発明の概要】
【発明が解決しようとする課題】
【０００５】
道路照明灯などを監視するシステムは提案されているが、可視光通信装置は照明灯以外にも各種の機器から構成されているため、装置自体の異常（故障や動作不良を含む）を検出する監視装置が必要である。特に、可視光通信装置は、例えば道路上の柱上に設置されている道路照明灯と共にメンテナンスの困難な場所に設置される。しかも無人、連続長時間運転が多いため、従来から定期検査、異常の即時発見、故障箇所の究明が困難であると予想されている。また、実際に可視光通信装置に異常がある場合、装置の動作を停止して、全ての構成機器を個別に検査するしか方法がなかった。
【０００６】
本発明の目的は、可視光通信装置の構成機器の異常を、装置の停止を伴うことなく自動的に検出することができる可視光通信監視装置を提供することにある。
【課題を解決するための手段】
【０００７】
本発明の観点は、可視光通信装置から取り出したデジタル情報に基づいて、可視光通信装置の構成機器の異常発生（故障や動作不良を含む）を自動的に検出する監視機能を実現した可視光通信監視装置である。
【０００８】
本発明の観点に従った可視光通信監視装置は、可視光を発光する可視光発信手段、及び送信対象のデジタル情報に基づいて前記可視光発信手段を制御する発信制御手段を含む可視光通信装置と接続する手段と、前記可視光発信手段により発信された可視光からデジタル情報を復調する復調手段と、前記発信制御手段から前記送信対象のデジタル情報を入力する入力手段と、前記復調手段により復調されたデジタル情報及び前記送信対象のデジタル情報に基づいて、前記可視光通信装置を構成する機器の異常発生を監視する監視手段とを備えた構成である。
【発明の効果】
【０００９】
本発明によれば、可視光通信装置の構成機器の異常を、装置の停止を伴うことなく自動的に検出することができる。
【図面の簡単な説明】
【００１０】
【図１】本発明の第１の実施形態に関する可視光通信システムの要部を示すブロック図。
【図２】第１の実施形態に関する可視光通信監視装置の動作を説明するためのフローチャート。
【図３】第１の実施形態に関する可視光通信監視装置の動作を説明するためのフローチャート。
【図４】第２の実施形態に関する可視光通信システムの要部を示すブロック図。
【図５】第３の実施形態に関する可視光通信システムの要部を示すブロック図。
【発明を実施するための最良の形態】
【００１１】
以下図面を参照して、本発明の各実施形態を説明する。
【００１２】
［第１の実施形態］
図１は、本実施形態に関する可視光通信システムの要部を示すブロック図である。
【００１３】
本実施形態のシステムは、図１に示すように、大別して可視光通信装置１０と、可視光通信監視装置（以下、単に監視装置と表記する場合がある）２０と、可視光通信受信装置（以下、単に受信装置と表記する場合がある）３０とから構成されている。可視光通信装置１０は、例えば道路上の道路照明灯に設置されており、例えば道路を走行する車両に対して可視光により情報を発信する情報発信装置である。監視装置２０は、後述するように、例えばコネクタ（図示せず）により可視光通信装置１０に接続されている独立の装置であり、可視光通信装置１０の異常発生（故障や動作不良を含む）を監視している。受信装置３０は、例えば、道路を走行する車両に搭載されている専用受信装置や、携帯電話や携帯型パーソナルコンピュータなどの携帯端末である。
【００１４】
可視光通信装置１０は、発信情報処理制御装置１１と、可視光発信器１４と、監視用センサ１５とを有する。発信情報処理制御装置１１は、情報処理装置１２及び発信制御装置１３を有する。情報処理装置１２は、送信対象のデジタル情報を発信制御装置１３に出力する。ここで、送信対象のデジタル情報とは、例えば、予め情報処理装置１２の内部メモリに記憶されている位置情報や、または遠隔に設置されているサーバなどから無線通信により送信された配信情報である。発信制御装置１３は、送信対象のデジタル情報をパルス信号で変調し、当該パルス信号で可視光発信器１４を駆動制御する。
【００１５】
可視光発信器１４は、ＬＥＤ素子及びＬＥＤドライバを含み、発信制御装置１３から出力されるパルス信号で制御されるＬＥＤドライバによりＬＥＤ素子を駆動して、送信対象のデジタル情報に対応する可視光１００を発信（発光）する。監視用センサ１５は、フォトダイオードなどの受光素子を含み、受光した可視光１００に応じた電気信号を出力する。
【００１６】
受信装置３０は、フォトダイオードなどの受光素子及び復調回路などを含み、可視光通信装置１０から発信された可視光１００から送信対象のデジタル情報を復調する。受信装置３０は、復調されたデジタル情報を、例えば携帯端末などのディスプレイに表示する。
【００１７】
監視装置２０は、監視制御装置２１と、表示器２２と、および第１及び第２の検査装置２３，２６を有する。監視制御装置２１は、マイクロプロセッサ（ＣＰＵ）及びソフトウェアから構成されており、後述するように、可視光通信装置１０の監視動作を実行する。表示器２２は、監視制御装置２１から出力される監視結果（正常または異常の判定結果）を画面上に表示する。
【００１８】
第１の検査装置２３は、電流計２４及びコンパレータ２５を含む。電流計２４は、可視光発信器１４に供給される電流値（ＬＥＤ素子の駆動電流値）を計測し、デジタル情報Ｃに変換してコンパレータ２５に出力する。コンパレータ２５は、監視制御装置２１から予め設定された基準値（基準電流値）Ｒを入力し、当該基準値Ｒとデジタル情報Ｃとを比較する。コンパレータ２５は、比較結果Ｆを監視制御装置２１に出力する。
【００１９】
第２の検査装置２６は、光電変換器２７と、パルス／デジタル変換器２８と、コンパレータ２９とを有する。光電変換器２７は、監視用センサ１５から出力される光信号（可視光１００に応じた電気信号）をパルス信号ＰＤに変換する。パルス／デジタル変換器２８は、光電変換器２７から出力されるパルス信号ＰＤをデジタル情報Ｄに変換する。
【００２０】
一方、パルス／デジタル変換器２８は、発信制御装置１３から出力されるパルス信号（送信対象のデジタル情報の変調信号）ＰＢをデジタル情報Ｂに変換する。パルス／デジタル変換器２８は、監視制御装置２１からの制御信号（点線）に応じてデジタル情報Ｂ，Ｄの一方をコンパレータ２９に出力する。コンパレータ２９は、情報処理装置１２から出力される送信対象のデジタル情報Ａを入力し、このデジタル情報Ａとデジタル情報Ｂとを比較し、またデジタル情報Ｂとデジタル情報Ｄとを比較する。コンパレータ２９は、各比較結果Ｅを監視制御装置２１に出力する。
【００２１】
なお、監視制御装置２１は、監視結果（正常または異常の判定結果）を、無線通信機又は有線通信機からなる通信装置１６を介して遠隔に設置されているサーバ（遠隔システム）に伝送してもよい。サーバは、例えば、可視光通信装置１０のメンテンナスを管理する管理センタに設けられたシステムである。
【００２２】
（監視装置の動作）
以下、図１と共に、図２及び図３のフローチャートを参照して、本実施形態の監視装置２０の動作を説明する。
【００２３】
本実施形態では、監視装置２０は、コネクタ（図示せず）を介して可視光通信装置１０に接続されており、一定間隔で可視光通信装置１０の異常発生（故障や動作不良を含む）を監視する動作を実行する。
【００２４】
まず、監視制御装置２１は、図２に示すように、発信情報処理制御装置１１の機器が正常に動作しているか否か（異常発生）を判定する。監視制御装置２１は、情報処理装置１２及び発信制御装置１３を制御して（点線の制御信号を出力）、発信デジタル情報Ａ，Ｂをコンパレータ２９に入力させる（ステップＳ１）。即ち、監視制御装置２１は、情報処理装置２１から出力するデジタル情報Ａをコンパレータ２９に入力させる。また、監視制御装置２１は、発信制御装置１３から出力されるパルス信号ＰＢをパルス／デジタル変換器２８に入力して、デジタル情報Ｂに変換させる。
【００２５】
コンパレータ２９は、入力されたデジタル情報Ａとデジタル情報Ｂとを比較する（ステップＳ２）。監視制御装置２１は、コンパレータ２９から出力される比較結果Ｅに基づいて、当該比較結果Ｅが一致の場合には発信制御装置１３が正常であると判定する（ステップＳ３のＹＥＳ，Ｓ４）。一方、比較結果Ｅが不一致の場合には、監視制御装置２１は、発信制御装置１３には異常が発生（故障または動作不良）していると判定する（ステップＳ３のＮＯ，Ｓ９）。ここで、監視制御装置２１は、情報処理装置２１が正常に動作していることを前提とした判定を行う。監視制御装置２１は、発信制御装置１３には異常が発生（故障または動作不良）しているとの判定結果を監視結果として表示器２２に出力する（ステップＳ１０）。表示器２２の画面上には、発信制御装置１３が異常であることを表示する。また、監視制御装置２１は、当該監視結果を通信装置１６を介して遠隔に設置されているサーバ（遠隔システム）に伝送する。
【００２６】
次に、監視制御装置２１は、発信制御装置１３が正常であると判定した場合、パルス／デジタル変換器２８を制御して、発信制御装置１３からのデジタル情報Ｂと監視用センサ１５からのデジタル情報Ｄをコンパレータ２９に入力させる（ステップＳ５）。デジタル情報Ｄは、監視用センサ１５から出力された光信号に応じたパルス信号ＰＤから変換された情報である。
【００２７】
コンパレータ２９は、入力されたデジタル情報Ｂとデジタル情報Ｄとを比較する（ステップＳ６）。監視制御装置２１は、コンパレータ２９から出力される比較結果Ｅに基づいて、当該比較結果Ｅが一致の場合には、可視光通信装置１０の全てが正常であると判定する（ステップＳ７のＹＥＳ，Ｓ８）。即ち、監視制御装置２１は、可視光通信装置１０に含まれる発信情報処理制御装置１１及び可視光発信器１４が正常に動作していると判定する。
【００２８】
一方、監視制御装置２１は、比較結果Ｅが不一致の場合には、図３に示す送信系の検査処理に移行する（ステップＳ７のＮＯ）。即ち、監視制御装置２１は、発信制御装置１３が正常であると判定しているため、デジタル情報Ｄが異常であると判定する。以下、図３のフローチャートを参照して、送信系の検査処理を説明する。
【００２９】
監視制御装置２１は、デジタル情報Ｄが異常の場合には、可視光発信器１４または監視用センサ１５の一方が異常であると判定する（ステップＳ１１）。監視制御装置２１は、第１の検査装置２３を制御し、コンパレータ２５から比較結果Ｆを入力する。即ち、第１の検査装置２３では、電流計２４は、可視光発信器１４に供給される電流値（ＬＥＤ素子の駆動電流値）を計測し、デジタル情報Ｃに変換してコンパレータ２５に出力する（ステップＳ１２）。コンパレータ２５は、監視制御装置２１から予め設定された基準値（基準電流値）Ｒとデジタル情報Ｃとを比較する（ステップＳ１３）。
【００３０】
監視制御装置２１は、コンパレータ２５からの比較結果Ｆに基づいて、デジタル情報Ｃが基準値Ｒに対し許容範囲内であれば、可視光発信器１４が正常に動作していると判定する（ステップＳ１４のＹＥＳ，Ｓ１５）。この判定結果に基づいて、監視制御装置２１は、監視用センサ１５が異常であると判定する（ステップＳ１６）。監視制御装置２１は、監視用センサ１５には異常が発生（故障または動作不良）しているとの判定結果を監視結果として表示器２２に出力する（ステップＳ１７）。また、監視制御装置２１は、当該監視結果を通信装置１６を介して遠隔に設置されているサーバ（遠隔システム）に伝送する。
【００３１】
一方、監視制御装置２１は、コンパレータ２５からの比較結果Ｆに基づいて、デジタル情報Ｃが基準値Ｒに対し許容範囲外であれば、可視光発信器１４に異常が発生していると判定する（ステップＳ１４のＮＯ，Ｓ１８）。監視制御装置２１は、可視光発信器１４には異常が発生（故障または動作不良）しているとの判定結果を監視結果として表示器２２に出力する（ステップＳ１９）。また、監視制御装置２１は、当該監視結果を通信装置１６を介して遠隔に設置されているサーバ（遠隔システム）に伝送する。
【００３２】
以上のように本実施形態の監視装置２０は、可視光通信装置１０からのデジタル情報に基づいて、発信情報処理制御装置１１、可視光発信器１４、さらに監視用センサ１５のそれぞれについて正常動作しているか否か（異常発生）を判定し、判定結果を監視結果として表示器２２に出力する。また、監視制御装置２１は、当該監視結果を通信装置１６を介して遠隔に設置されているサーバ（遠隔システム）に伝送する。これにより、可視光通信装置１０の動作を停止させることなく、自動的に故障している機器を発見して通知する監視機能を実現することができる。
【００３３】
特に、本実施形態の監視装置２０を道路上の道路照明灯に設置した可視光通信装置１０の監視装置に適用すれば、メンテンナスを行なう作業者は、複雑な検査を要することなく、表示器２２の画面上を確認するだけで故障した機器を特定し、修理や交換などの作業を短時間で行なうことが可能となる。また、監視制御装置２１が監視結果を通信装置１６を介して遠隔に設置されているサーバに伝送する構成であれば、例えば可視光通信装置１０のメンテンナスに必要な定期的検査を遠隔地で行なうことが可能となる。即ち、作業者は、現地での検査作業を行なうことなく、監視装置２０から異常発生の通知があってから、可視光通信装置１０が設置されている道路上の道路照明灯まで行き、修理や交換などの作業を行なうことができる。
【００３４】
なお、本実施形態の監視装置２０は、道路上の道路照明灯に設置された可視光通信装置１０だけでなく、例えばビルや工場などの施設内に設置された可視光通信装置の監視装置としても適用できる。
【００３５】
［第２の実施形態］
図４は、第２の実施形態に関する可視光通信システムの要部を示すブロック図である。なお、前述の図１に示す第１の実施形態に関するシステムと同様の構成については、同一符号を付して説明を省略する。
【００３６】
本実施形態の監視装置２０は、可視光通信装置１０から遠隔地に設置された受信装置３０からの受信情報（後述するデジタル情報Ｄ）を利用して、可視光通信装置１０の異常発生（故障や動作不良）を判定する構成である。なお、受信装置３０は、前述したように、
道路を走行する車両に搭載されている専用受信装置や、携帯電話や携帯型パーソナルコンピュータなどの携帯端末である。
【００３７】
受信装置３０は、図４に示すように、大別して可視光受信処理部３１及び情報処理部４０から構成されている。可視光受信処理部３１は、フォトダイオードなどの受光素子３２及び光電変換器３３を含む。受光素子３２は、可視光通信装置１０から発信された可視光１００を受光し、電気信号に変換して出力する。光電変換器３３は、受光素子３２から出力される光信号（可視光１００に応じた電気信号）をパルス信号に変換する。情報処理部４０は、光電変換器３３から出力されるパルス信号からデジタル情報を復調し、表示器に表示出力する。
【００３８】
本実施形態の受信装置３０は、情報処理部４０で復調されたデジタル情報を、無線通信機により監視装置２０に送信する機能を有する。監視装置２０は、受信装置３０から送信された電波を受信し、当該電波をデジタル情報に復調するモデム４１を有する。監視装置２０では、第２の検査装置２６のコンパレータ２９は、前述のデジタル情報Ａ，Ｂ以外に、モデム４１からのデジタル情報Ｄを入力する。
【００３９】
以上のような構成により、本実施形態の監視装置２０は、図２のステップＳ５からＳ７に示す処理を、受信装置３０からモデム４１を介してコンパレータ２９に入力されるデジタル情報Ｄに基づいて実行する。デジタル情報Ｄは、前述の第１の実施形態での監視用センサ１５からのデジタル情報Ｄに相当するものである。即ち、コンパレータ２９は、入力されたデジタル情報Ｂとデジタル情報Ｄとを比較する。監視制御装置２１は、コンパレータ２９から出力される比較結果Ｅに基づいて、当該比較結果Ｅが一致の場合には、可視光通信装置１０の全てが正常であると判定する。一方、監視制御装置２１は、比較結果Ｅが不一致の場合には、デジタル情報Ｄが異常であると判定し、図３のフローチャートに示すような送信系の検査処理に移行する。なお、他の動作は、前述の第１の実施形態での監視装置２０と同様である。
【００４０】
本実施形態の監視装置２０であれば、受信装置３０を利用することにより、可視光通信装置１０の監視用センサ１５を不要にすることができる。また、受信装置３０において、受信した可視光１００から復調したデジタル情報と、監視装置２０から伝送されたデジタル情報Ａ，Ｂのいずれかとの比較結果から独自の検査処理も可能となる。即ち、受信装置３０を利用することで、可視光通信装置１０を遠隔で監視することが可能となる。具体的には、メンテンナスを行なう作業者が受信装置３０を使用して、監視装置２０との連携により可視光通信装置１０の故障した機器を特定し、修理や交換などの作業を短時間で行なうことが可能となる。
【００４１】
［第３の実施形態］
図５は、第３の実施形態に関する可視光通信システムの要部を示すブロック図である。なお、前述の図１に示す第１の実施形態及び図４に示す第２の実施形態に関する各システムと同様の構成については、同一符号を付して説明を省略する。
【００４２】
本実施形態の監視装置２０も、第２の実施形態と同様に、可視光通信装置１０から遠隔地に設置された受信装置３０からの受信情報（デジタル情報Ｄ）を利用して、可視光通信装置１０の異常発生（故障や動作不良）を判定する構成である。なお、受信装置３０は、前述したように、道路を走行する車両に搭載されている専用受信装置や、携帯電話や携帯型パーソナルコンピュータなどの携帯端末である。
【００４３】
受信装置３０は、図５に示すように、可視光受信処理部３１及び情報処理部４０以外に、デジタルカメラ４２及び画像処理部４３から構成されている。デジタルカメラ４２は、可視光通信装置１０から発信された可視光１００を受光し、画像信号に変換して画像処理部４３に出力する。画像処理部４３は、デジタルカメラ４２から出力される画像信号（可視光１００に応じた電気信号）を処理し、情報処理部４０に出力する。情報処理部４０は、画像処理部４３から出力されるデジタル画像信号からデジタル情報Ｄを復調し、表示器に表示出力する。
【００４４】
以上のような構成により、本実施形態の監視装置２０は、受信装置３０から送信されたデジタル情報Ｄをモデム４１を介してコンパレータ２９に入力させることで、図２のステップＳ５からＳ７に示す判定処理を実行する。本実施形態の受信装置３０であれば、可視光受信処理部３１が存在しない装置の場合でも、可視光通信装置１０の監視処理に必要なデジタル情報Ｄを生成できる。本実施形態の監視装置２０の場合も、受信装置３０を利用することにより、可視光通信装置１０の監視用センサ１５を不要にして、可視光通信装置１０を遠隔で監視することが可能となる。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４６】
１０…可視光通信装置、１１…発信情報処理制御装置、１２…情報処理装置、
１３…発信制御装置、１４…可視光発信器、１５…監視用センサ、１６…通信装置、
２０…可視光通信監視装置（監視装置）、２１…監視制御装置、２２…表示器、
２４…電流計、２５…コンパレータ、２７…光電変換器、
２８…パルス／デジタル変換器、２９…コンパレータ、
３０…可視光通信受信装置（受信装置）、３１…可視光受信処理部、
３２…受光素子、３３…光電変換器、４０…情報処理部、４１…モデム、
４２…デジタルカメラ、４３…画像処理部、１００…可視光。
【図１】
2010213205.tif 000003
【図２】
2010213205.tif 000004
【図３】
2010213205.tif 000005
【図４】
2010213205.tif 000006
【図５】
2010213205.tif 000007